(57)【要約】【課題】画像形成装置本体から引き出された挿抜ユニットへのアクセスやユニット内部の視認性を向上可能な画像形成装置を提供する。【解決手段】画像形成装置は、画像形成装置本体と、ユニットと、スライドレールと、カバー部材と、リンク機構と、を備える。ユニットは、画像形成装置本体内の所定位置まで挿入された挿入位置と、挿入位置から外部に所定量引き出された引き出し位置と、に選択配置される。スライドレールは、ユニットに装着され、画像形成装置本体に固定されたガイドレールに摺動可能に係合する。カバー部材は、ユニットの引き出し方向下流側に配置される。リンク機構は、ユニットが挿入位置にあるときカバー部材を画像形成装置本体の外装面の一部を構成する第１の位置に配置し、ユニットが引き出し位置にあるときカバー部材を第１の位置から下方に移動した第２の位置に配置する。【選択図】図５
2019204040.tif 000002
【特許請求の範囲】
【請求項１】
画像形成装置本体と、
前記画像形成装置本体内の所定位置まで挿入された挿入位置と、前記挿入位置から画像形成装置本体の外部に所定量引き出された引き出し位置と、に選択配置されるユニットと、
前記ユニットに装着され、前記画像形成装置本体に固定されたガイドレールに水平方向に摺動可能に係合するスライドレールと、
前記ユニットの引き出し方向下流側に配置されるカバー部材と、
を備えた画像形成装置において、
前記カバー部材を前記ユニットに対し上下に移動可能に支持するリンク機構を備え、
前記リンク機構は、前記ユニットが前記挿入位置にあるとき前記カバー部材を前記画像形成装置本体の外装面の一部を構成する第１の位置に配置し、
前記ユニットが前記引き出し位置にあるとき前記カバー部材を前記第１の位置から下方に移動した第２の位置に配置することを特徴とする画像形成装置。
【請求項２】
前記カバー部材は、前記第２の位置に配置されたとき上面が前記スライドレールと同一高さ以下に位置することを特徴とする請求項１に記載の画像形成装置。
【請求項３】
前記リンク機構は、
一端部が前記カバー部材に固定され、他端部が第１支点部において前記スライドレールに回動可能に支持される第１アームと、
一端部が前記第１支点部よりも前記引き出し方向下流側に位置する第２支点部において前記スライドレールに回動可能に支持され、他端部が第３支点部において前記第１アームに回動可能に支持される第２アームと、を有し、
前記第１支点部は、前記スライドレールに設けられた第１軸部と、前記第１アームの一端部に形成され、前記第１軸部に回転可能に軸支される第１係合孔とで構成され、前記第２支点部は、前記スライドレールに設けられた第２軸部と、前記第２アームの一端部に形成され、前記第２軸部に回転可能に軸支される第２係合孔とで構成され、前記第３支点部は、前記第１アームの他端部に設けられた第３軸部と、前記第２アームの他端部に形成され、前記第３軸部に回転可能に軸支される第３係合孔とで構成され、
前記第２係合孔、若しくは前記第３係合孔のいずれか一方が長穴であることを特徴とする請求項１又は請求項２に記載の画像形成装置。
【請求項４】
前記ユニットは、シート状の記録媒体を収納するシート収納カセットであることを特徴とする請求項１乃至請求項３のいずれかに記載の画像形成装置。
【請求項５】
前記シート収納カセットは、上面および前記引き出し方向下流側の側面が開口したカセットベースを備え、前記開口から前記記録媒体の補充が可能であり、前記カバー部材は、前記第１の位置に配置されたとき前記カセットベースの前記側面と前記引き出し方向に対向するとともに、前記第２の位置に配置されたとき前記側面の開口の少なくとも上部と前記引き出し方向に重ならない位置に退避することを特徴とする請求項４に記載の画像形成装置。
【請求項６】
前記カバー部材は、前記第２の位置に配置されたとき前記カセットベースの底面と同一高さ以下に退避することを特徴とする請求項５に記載の画像形成装置。
【発明の詳細な説明】
【技術分野】
【０００１】
本発明は、画像形成装置本体に対して水平に挿抜可能なユニットを備えた複写機、プリンター、ファクシミリ、それらの複合機等の画像形成装置に関する。
【背景技術】
【０００２】
従来、シート状の用紙（記録媒体）を複数枚積層して収納するとともに、画像形成動作に応じて画像形成装置本体の画像形成部へ用紙を１枚ずつ分離して搬送する給紙カセットが広く用いられている。
【０００３】
上記のような給紙カセットは、画像形成装置本体に対し挿抜可能に装着されており、給紙カセットを引き出した状態で用紙を補給するようになっている。また、給紙カセットから用紙を給紙する際に生じたジャムに対しては、給紙カセットを引き出して用紙を取り除くことになる。一方、画像形成装置の使用時には給紙カセットが画像形成装置本体に挿入される。
【０００４】
また、給紙カセットの挿入方向に対し上流側にはカバー部材が装着されている。給紙カセットが画像形成装置本体に挿入されたとき、カバー部材が画像形成装置の外装面の一部を構成する。
【０００５】
ところで、給紙カセットを引き出して用紙を補給するときや給紙部でジャムした用紙を取り除くときに、腕がカバー部材と接触することがあり、作業者に不快感を与える可能性がある。また、カバー部材によって給紙カセット内の用紙残量やジャムした用紙の視認性が低下するおそれもある。さらに、車椅子を使用する作業者にとっても、用紙の補給やジャム処理がしにくい構成である。
【０００６】
そこで、特許文献１には、内部に転写紙を積載する箱形のケーシングを内側部分と外側部分とで構成し、内側部分に対して外側部分を下方へ回動可能に支持することにより、用紙を補給する場合の作業性を向上させ、用紙を確実かつ容易にセット可能とした引出し式の給紙トレイが開示されている。
【先行技術文献】
【特許文献】
【０００７】
【特許文献１】特開平９−２５８５０８号公報
【発明の概要】
【発明が解決しようとする課題】
【０００８】
しかしながら、特許文献１の構成では、給紙トレイを引き出したときにケーシングの内側部分と外側部分とが屈曲するため、ケーシングの底面に用紙束を載置したとき用紙が底面に沿って屈曲してしまい、用紙束の位置ずれが生じる可能性があった。
【０００９】
本発明は、上記問題点に鑑み、画像形成装置本体から引き出されたユニットへのアクセスやユニット内部の視認性を向上可能な画像形成装置を提供することを目的とする。
【課題を解決するための手段】
【００１０】
上記目的を達成するために本発明の第１の構成は、画像形成装置本体と、ユニットと、スライドレールと、カバー部材と、リンク機構と、を備えた画像形成装置である。ユニットは、画像形成装置本体内の所定位置まで挿入された挿入位置と、挿入位置から画像形成装置本体の外部に所定量引き出された引き出し位置と、に選択配置される。スライドレールは、ユニットに装着され、画像形成装置本体に固定されたガイドレールに水平方向に摺動可能に係合する。カバー部材は、ユニットの引き出し方向下流側に配置される。リンク機構は、カバー部材をユニットに対し上下に移動可能に支持する。リンク機構は、ユニットが挿入位置にあるときカバー部材を画像形成装置本体の外装面の一部を構成する第１の位置に配置する。リンク機構は、ユニットが引き出し位置にあるときカバー部材を第１の位置から下方に移動した第２の位置に配置する。
【発明の効果】
【００１１】
本発明の第１の構成によれば、ユニットが引き出し位置にあるときカバー部材が第１の位置から下方に移動した第２の位置に配置されるため、画像形成装置本体から引き出されたユニットへアクセスする際にカバー部材が邪魔にならず、作業性が向上する。また、車椅子を使用する作業者や椅子に座った作業者であってもユニットへのアクセスを容易に行うことができる。
【図面の簡単な説明】
【００１２】
【図１】本発明の一実施形態に係る画像形成装置１００の内部構成を示す概略図
【図２】本実施形態の画像形成装置１００の外観斜視図
【図３】画像形成装置１００に搭載される給紙カセット４ａを上方から見た平面図
【図４】給紙カセット４ａがカセット収納部１０１に収納された状態を示す側面断面図
【図５】給紙カセット４ａがカセット収納部１０１から引き出された状態を示す側面断面図
【図６】図５におけるスライドレール４０、第１アーム５０、第２アーム５１の部分拡大図
【図７】給紙カセット４ａがカセット収納部１０１から引き出された状態を引き出し方向下流側から見た側面図
【図８】リンク機構５３の他の構成を示す給紙カセット４ａ及びカセット収納部１０１の側面断面図
【発明を実施するための形態】
【００１３】
以下、図面を参照しながら本発明の実施形態について詳細に説明する。図１は、本発明の一実施形態に係る画像形成装置１００の内部構成を示す概略図である。図２は、本実施形態の画像形成装置１００の外観斜視図である。図１及び図２に示すように、画像形成装置１００は、いわゆる胴内排紙型のデジタル複合機であって、大まかには、本体ハウジング２０と、その上部に配設された上ハウジング２１とで構成されている。
【００１４】
本体ハウジング２０は、下ハウジング２０ａと、下ハウジング２０ａの上方に図１の右側部に沿って位置し、上ハウジング２１に連結される連結ハウジング２０ｂと、から構成されている。下ハウジング２０ａ内には、下部に配設された給紙部４と、給紙部４の側方および上方に配設された用紙搬送部５と、給紙部４の上方に配設された画像形成部６と、用紙搬送方向に対し画像形成部６の下流側（図１の右側）に配設された定着部７とが備えられている。連結ハウジング２０ｂには、定着後の用紙Ｓを搬送して本体ハウジング２０から排出するための用紙排出部が設けられている。また、上ハウジング２１の直下における連結ハウジング２０ｂの左側方には、画像形成装置１００の左側面および正面に向けて大きく開放された胴内排出空間２２が形成されている。
【００１５】
給紙部４には給紙カセット４ａ及び給紙ユニット４ｂが備えられている。給紙カセット４ａに載置された用紙Ｓの束は、用紙搬送方向に対し給紙カセット４ａの下流側の上方に設けられた給紙ローラー等から成る給紙ユニット４ｂによって、最上位の用紙Ｐから１枚ずつ用紙搬送部５に給紙される。用紙搬送部５は、給紙部４から給紙された用紙Ｓを画像形成部６へ搬送する。
【００１６】
画像形成部６は、電子写真プロセスによって用紙Ｓ上に所定のトナー像を形成する。画像形成部６は、回転可能に軸支された像担持体である感光体ドラム１０を備え、感光体ドラム１０の周囲には、感光体ドラム１０の回転方向（図１の反時計回り方向）に沿って配設される帯電装置１１、露光装置１２、現像装置１３、転写装置１４、クリーニング装置１５、及び不図示の除電装置を備えている。
【００１７】
上ハウジング２１内には、原稿の画像情報を読み取る画像読取部８が設けられている。原稿を１枚ずつ読み取らせる場合には、原稿搬送装置３を開いて上ハウジング２１の上面に設けられたコンタクトガラス（図示せず）上に原稿を載置する。また、原稿束を自動的に読み取らせる場合には、原稿束を、閉じた状態の原稿搬送装置３の給紙トレイ上に載置することにより、原稿束から原稿が１枚ずつ自動的に順次コンタクトガラス上に送り込まれる。また、上ハウジング２１の前面側には操作パネル２３が設けられている。
【００１８】
給紙カセット４ａの上方には開閉カバー２４が設けられている。開閉カバー２４は下端部を支点として下ハウジング２０ａに上下に開閉可能に支持されている。開閉カバー２４を開放することで、下ハウジング２０ａ内の用紙搬送部５、画像形成部６、定着部７へのアクセスが可能となる。
【００１９】
以下、上記のように構成された画像形成装置１００の基本的な動作を説明する。先ず、図１の反時計回り方向に回転する感光体ドラム１０の外周面が帯電装置１１によって一様に帯電される。そして、画像読取部８で読み取られた画像情報に基づいて露光装置１２からのビーム光が感光体ドラム１０の外周面に照射され、感光体ドラム１０の外周面に静電潜像が形成される。この静電潜像に現像装置１３から現像剤としてのトナーが供給されることによりトナー像が形成される。
【００２０】
トナー像の形成と並行して、用紙Ｓが給紙部４から用紙搬送路５に送出され、レジストローラー対９で一旦停止する。レジストローラー対９で停止した用紙Ｓは所定のタイミングでトナー像が形成された感光体ドラム１０に向けて搬送される。そして、転写ローラー等からなる転写装置１４により感光体ドラム１０の外周面のトナー像が用紙Ｓに転写される。トナー像が転写された用紙Ｓは感光体ドラム１０から分離され、定着部７に向けて搬送される。用紙Ｓが定着部７を通過することで加熱、加圧処理されて用紙Ｓ上にトナー像が定着される。
【００２１】
用紙Ｓへのトナー像の転写処理が完了した感光体ドラム１０は、クリーニング装置１５により外周面に残留している残留トナーが取り除かれた後、除電装置（不図示）により残留電荷を除去する除電処理が施される。その後、帯電装置１１により再び感光体ドラム１０の外周面に帯電処理が施され、以下同様にして画像形成が行われる。
【００２２】
定着部７を通過した用紙Ｓは、そのまま垂直上方に向かう垂直搬送路１６に沿って連結ハウジング２０ｂ内に搬送される。垂直搬送路１６の上部は連結ハウジング２０ｂ内で下方に位置する搬送路と上方に位置する搬送路とに分岐している。分岐部に配置された分岐ガイド１７によって、下方の搬送路に案内された用紙Ｓは、第１排出ローラー対１８から左方に排出され、胴内排出空間２２の底面に形成された用紙排出トレイ２６上にストックされる。
【００２３】
一方、用紙Ｓの両面に印字を行う場合は、定着部７を通過した用紙Ｓを分岐ガイド１７によって上方の搬送路に案内する。そして、用紙Ｓの一部を一旦第２排出ローラー対１９から胴内排出空間２２に突出させる。その後、第２排出ローラー対１９を逆回転させることにより用紙Ｓの搬送方向の切り替え（スイッチバック）が行われて反転搬送路２５に案内され、画像面を反転させた状態でレジストローラー対９に再搬送される。そして、感光体ドラム１０の外周面に形成された次の画像が転写装置１４により用紙Ｓの画像が形成されていない面に転写される。その後、用紙Ｓは定着部７に搬送されてトナー像が定着された後、第１排出ローラー対１８を介して用紙排出トレイ２６に排出される。
【００２４】
図３は、画像形成装置１００に搭載される給紙カセット４ａを上方から見た平面図である。図３において、画像形成装置１００本体に対する給紙カセット４ａの挿入方向を矢印Ａ方向、引き出し方向を矢印Ａ′方向で示し、給紙方向を矢印Ｂ方向で示す。
【００２５】
給紙カセット４ａは、画像形成装置１００内部のカセット収納部１０１（図１参照）に収容される。給紙カセット４ａの本体部であるカセットベース３０は、上面及び給紙カセット４ａの引き出し方向下流側（図３の上側）の側面が開口した平らな箱で構成され、上面方向から用紙Ｓ（図１参照）を積載して収容する。給紙カセット４ａに収容された用紙Ｓは、給紙ユニット４ｂ（図１参照）によって矢印Ｂ方向に給送される。
【００２６】
カセットベース３０内には用紙Ｓが積載される用紙積載板３１が配置されている。用紙積載板３１は、給紙方向（矢印Ｂ方向）と直交する用紙幅方向の両端に設けられた揺動軸（図示せず）を支点として給紙方向の下流端がカセットベース３０に対し上下に昇降可能に設けられている。
【００２７】
また、用紙積載板３１の幅方向両側には、用紙積載板３１に積載される用紙Ｓの幅方向の位置決めを行う一対の幅規制カーソル３３が、カセットベース３０に形成された幅規制カーソル案内溝（図示せず）に沿ってそれぞれ用紙幅方向（矢印ＡＡ′方向）に往復移動可能に設けられている。また、カセットベース３０には、用紙積載板３１に積載された用紙Ｓの後端を整合する後端規制カーソル３５が、カセットベース３０に形成された後端規制カーソル案内溝（図示せず）に沿って給紙方向（矢印Ｂ方向）と平行に往復移動可能に設けられている。
【００２８】
カセットベース３０の挿抜方向（矢印ＡＡ′方向）に平行な側面の外側には一対のスライドレール４０が装着されている。スライドレール４０はカセット収納部１０１の内側面に設けられたガイドレール４１（図４参照）に摺動可能に係合されている。カセットベース３０は、スライドレール４０と共に図３のＡＡ′方向に水平にスライドしてカセット収納部１０１に対し挿入または引き出される。カセットベース３０はスライドレール４０に対して着脱可能である。
【００２９】
カセットベース３０の引き出し方向（矢印Ａ方向）の下流側の側面にはカセットカバー４３が配置されている。給紙カセット４ａがカセット収納部１０１に挿入された状態では、図２に示すようにカセットカバー４３の表面側（図３の上側）が外部に露出して画像形成装置１００本体の外装面の一部を構成する。また、カセットカバー４３の裏面側（図３の下側）がカセットベース３０の引き出し方向下流側の側面に形成された開口３０ａと対向してカセットベース３０の側面の一部を構成する。
【００３０】
カセットカバー４３の裏面側にはカバー取り付けステー４５が固定されている。カバー取り付けステー４５の両端部には一対の第１アーム５０の一端部（引き出し方向下流側の端部）が固定されている。各第１アーム５０の他端部（引き出し方向上流側の端部）は第１支点部６０においてスライドレール４０に回動可能に支持されている。
【００３１】
図３のカセットベース３０の左右方向において、各スライドレール４０と第１アーム５０との間には、それぞれ第２アーム５１が介在している。第２アーム５１の一端部（引き出し方向上流側の端部）は第２支点部６１においてスライドレール４０に回動可能に支持されており、第２アーム５１の他端部（引き出し方向下流側の端部）は第３支点部６３において第１アーム５０に回動可能に支持されている。
【００３２】
後述する図６に示すように、第１支点部６０は、スライドレール４０に設けられた第１軸部６０ａと、第１アーム５０の一端部に形成され、第１軸部６０ａに回転可能に軸支される第１係合孔６０ｂとで構成される。第２支点部６１は、スライドレール４０に設けられた第２軸部６１ａと、第２アーム５１の一端部に形成され、第２軸部６０ａに摺動可能、且つ回転可能に軸支される長穴状の第２係合孔６１ｂとで構成される。第３支点部６３は、第１アーム５０の他端部に設けられた第３軸部６３ａと、第２アーム５１の他端部に形成され、第３軸部６３ａに回転可能に軸支される第３係合孔６３ｂとで構成される。この構成により、第２アーム５１はスライドレール４０に対し回動可能、且つ挿抜方向（矢印ＡＡ′方向）に摺動可能に支持される。
【００３３】
図４は、給紙カセット４ａがカセット収納部１０１に収納された状態を示す側面断面図である。図５は、給紙カセット４ａがカセット収納部１０１から引き出された状態を示す側面断面図、図６は、図５におけるスライドレール４０、第１アーム５０、第２アーム５１の部分拡大図、図７は、給紙カセット４ａがカセット収納部１０１から引き出された状態を引き出し方向下流側（図５の右側）から見た側面図である。なお、図４及び図５では給紙カセット４ａの一方の側面（図３の右側面）の構成について示しているが、他方の側面（図３の左側面）についても左右対称である以外は全く同様の構成である。
【００３４】
図４乃至図７を参照して給紙カセット４ａの挿抜動作について説明する。なお、以下に示す給紙カセット４ａの挿抜動作は、図２に示した画像形成装置１００が設置台上に載置されているか、或いは画像形成装置１００の底面にキャスターや脚部が付設されており、カセット収納部１０１から引き出された給紙カセット４ａの下方に空間がある状態で行うものとする。
【００３５】
図４に示すように、給紙カセット４ａがカセット収納部１０１内の所定位置（給紙位置）まで挿入された状態（以下、挿入位置という）にあるとき、カセットベース３０を支持するスライドレール４０がガイドレール４１内に挿入されている。
【００３６】
また、第１アーム５０及び第２アーム５１もカセット収納部１０１内に収納され、スライドレール４０と略平行な状態でガイドレール４１内に挿入されている。このとき、第２アーム５１は第２支点部６１において第２係合孔６１ｂの一端部（引き出し方向下流側、図４の右端）で第２軸部６１ａに係合しており、カセットカバー４３は画像形成装置１００の本体ハウジング２０の外装面の一部を構成する位置（第１の位置）に配置されている。第１の位置ではカセットカバー４３がカセットベース３０の開口３０ａ（図６参照）に対向しており、カセットベース３０の側面の一部を構成している。
【００３７】
図４の状態からカセットカバー４３に形成された把持部４３ａを把持して給紙カセット４ａを矢印Ａ方向に引き出すと、カバー取り付けステー４５及び第１アーム５０を介してカセットカバー４３に連結されたスライドレール４０がガイドレール４１から引き出される。そして、スライドレール４０と共にカセットベース３０も引き出され、給紙カセット４ａは挿入位置から所定量だけ引き出された状態（以下、引き出し位置という）に移動する。
【００３８】
また、スライドレール４０と共に第１アーム５０及び第２アーム５１もガイドレール４１から引き出される。そして、第１支点部６０においてスライドレール４０に回動可能に支持された第１アーム５０がカセットカバー４３の自重によって下方向（図５の時計回り方向）に回動する。第１アーム５０の回動に伴い、カバー取り付けステー４５を介して第１アーム５０に固定されたカセットカバー４３も下方に移動する。
【００３９】
一方、第２支点部６１においてスライドレール４０に回動可能に支持された第２アーム５１が、第２軸部６１ａとの係合位置を第２係合孔６１ｂの他端側（引き出し方向上流側）に移動させながら下方向（図５の時計回り方向）に回動する。そして、第２軸部６１ａとの係合位置が第２係合孔６１ｂの他端部（図５の左端）まで移動したとき、第２アーム５１がスライドレール４０に対する第１アーム５０の回動を規制する。その結果、カセットカバー４３は第１の位置よりも下方（第２の位置）で支持される。第１アーム５０、第２アーム５１は、カセットカバー４３を第１の位置と第２の位置とに選択配置するリンク機構５３を構成する。
【００４０】
図５及び図６に示すように、カセットベース３０が引き出し位置に配置され、カセットカバー４３が第２の位置に配置された状態では、カセットカバー４３の上面はスライドレール４０と同一高さ以下に退避しており、カセットベース３０の引き出し方向下流側の側面（開口３０ａ）の上部と引き出し方向に重ならない位置に退避している。この状態でカセットベース３０への用紙Ｓの補給やカセット収納部１０１内のジャム処理を行うことにより、作業者の腕がカセットカバー４３に接触せず、作業性が向上する。
【００４１】
なお、第２の位置に配置されたカセットカバー４３の上面がスライドレール４０よりも上方であってもよい。即ち、カセットカバー４３がカセットベース３０の開口３０ａの少なくとも一部（上部）と引き出し方向に重ならない位置に退避することで、カセットベース３０への用紙Ｓの補給やカセット収納部１０１内のジャム処理の作業性を向上させることができる。作業性をより一層向上させるためには、第２の位置に配置されたカセットカバー４３がカセットベース３０の底面と同一高さ以下であることが好ましい。
【００４２】
用紙Ｓの補給やジャム処理が終了した後、図５及び図６の状態からカセットカバー４３の把持部４３ａを把持してカバー部材４３を上方に持ち上げながら給紙カセット４ａを挿入方向（矢印Ａ′方向）に押し込む。その結果、スライドレール４０と共にカセットベース３０がカセット収納部１０１内に挿入され、給紙カセット４ａが図４に示した挿入位置に配置される。また、第１アーム５０及び第２アーム５１がスライドレール４０と略平行な状態でガイドレール４１内に挿入され、カセットカバー４３が再び第１の位置に配置される。
【００４３】
本実施形態によれば、カセットベース３０への用紙Ｓの補給作業時やカセット収納部１０１内でのジャム処理作業時に給紙カセット４ａを引き出し位置に配置したとき、カセットカバー４３が第２の位置に配置されるため作業者の邪魔にならず、作業性が向上する。また、車椅子を使用する作業者や椅子に座った作業者であってもカセットベース３０内の用紙Ｓの残量やジャムした用紙Ｓの視認性が向上するため、カセットベース３０への用紙Ｓの補給やジャム処理を容易に行うことができる。
【００４４】
その他本発明は、上記実施形態に限定されず、本発明の趣旨を逸脱しない範囲で種々の変更が可能である。例えば、上記実施形態では第２アーム５１に長穴状の第２係合孔６１ｂを形成し、スライドレール４０の第２軸部６１ａと第２係合孔６１ｂとを摺動可能に係合させることで、第２アーム５１を用いて第１アーム５０の回動を規制している。この構成に限らず、図８に示すように第１アーム５０に長穴状の第３係合孔６３ｂを形成し、第３軸部６３ａと第３係合孔６３ｂとを摺動可能に係合させることで、第１アーム５０を用いて第２アーム５１の回動を規制することもできる。
【００４５】
また、上記実施形態においては第１アーム５０、第２アーム５１をスライドレール４０の第１支点部６０、第２支点部６１に回動可能に連結したが、カセットベース３０がスライドレール４０と一体である場合は第１支点部６０、第２支点部６１をカセットベース３０に設け、第１アーム５０、第２アーム５１をカセットベース３０に回動可能に連結してもよい。
【００４６】
また、上記実施形態においては、画像形成装置１００が設置台上に載置されているか、或いは画像形成装置１００の底面にキャスターや脚部が付設されている場合の給紙カセット４ａの挿抜動作について説明したが、複数の給紙カセット４ａを備えた画像形成装置１００において、最下位以外の給紙カセット４ａに本発明を適用する場合は画像形成装置１００が設置面に直置きされていてもよい。
【００４７】
また、上記実施形態においては、給紙カセット４ａを画像形成装置１００本体に対し水平に引き出す構成について説明したが、画像形成装置１００本体に対し挿抜可能なユニットであれば給紙カセット４ａに限定されるものではなく、例えば定着部７や搬送ユニット等の他のユニットであっても良い。
【００４８】
また、本発明は図１に示したモノクロ複合機に限らず、カラー複合機、モノクロおよびカラープリンター、ファクシミリ等、種々の画像形成装置に適用可能である。
【産業上の利用可能性】
【００４９】
本発明は、装置本体に対して水平に挿抜可能なユニットを備えた画像形成装置に利用可能である。本発明の利用により、装置本体から引き出されたユニットへのアクセスやユニット内部の視認性を向上可能な挿抜ユニットを提供することができる。
【符号の説明】
【００５０】
４ａ          給紙カセット（シート収納カセット）
６            画像形成部
２０          本体ハウジング
３０          カセットベース
３０ａ        開口
４０          スライドレール
４１          ガイドレール
４３          カセットカバー（カバー部材）
４５          カバー取り付けステー
５０          第１アーム
５１          第２アーム
５３          リンク機構
６０          第１支点部
６１          第２支点部
６３          第３支点部
６５          長穴
１００        画像形成装置
１０１        カセット収納部（画像形成装置本体）
Ｓ            用紙（記録媒体）
【図１】
2019204040.tif 000003
【図２】
2019204040.tif 000004
【図３】
2019204040.tif 000005
【図４】
2019204040.tif 000006
【図５】
2019204040.tif 000007
【図６】
2019204040.tif 000008
【図７】
2019204040.tif 000009
【図８】
2019204040.tif 000010